(57)【要約】【課題】  指針本体の発光時における装飾性が高い指針を提供する。【解決手段】  紫外線に反応して可視光線で発光する紫外線反応樹脂で形成された指針本体１３の所定箇所に、その指針本体１３内に入射した一部の紫外線および指針本体１３中で発光した一部の可視光線を反射する反射部１４、１５を設けた。従って、指針本体１３に紫外線が照射されると、指針本体１３の全体が可視光線で発光すると共に、指針本体１３内に入射した一部の紫外線および指針本体１３中で発光した一部の可視光線が指針本体１３の反射部１４、１５で反射されるので、指針本体１３の反射部１４、１５の箇所とそれ以外の箇所とで輝度が異なることになり、これにより指針本体１３の発光領域に光の強弱を表現することができるので、指針本体１３の発光時における装飾性を高めることができる。【選択図】        図５
2007170889.tif 000002
【特許請求の範囲】
【請求項１】
指針軸に取り付けられて文字板の上方を運針する指針本体を、紫外線に反応して可視光線を発光する紫外線反応樹脂で形成し、この指針本体に紫外線発光素子によって紫外線が照射される指針であって、
前記指針本体の所定箇所に、前記指針本体内に入射した一部の紫外線および前記指針本体中で発光した一部の可視光線を反射する反射部を設けたことを特徴とする指針。
【請求項２】
前記反射部は、前記指針本体の外周面の下部に沿って形成された面取り部であることを特徴とする請求項１に記載の指針。
【請求項３】
前記反射部は、前記指針本体の裏面に設けられた溝部であることを特徴とする請求項１または２に記載の指針。
【請求項４】
前記指針本体を形成する前記紫外線反応樹脂中には、外部光に反応して蛍光を発する蛍光材が混入されていることを特徴とする請求項１〜３のいずれかに記載の指針。
【請求項５】
前記指針本体の表面には、印刷部が設けられていることを特徴とする請求項１〜４のいずれかに記載の指針。
【請求項６】
前記指針本体の表面には、微細な凹凸部が設けられていることを特徴とする請求項１〜４のいずれかに記載の指針。
【請求項７】
前記指針本体の裏面には、段差部が設けられていることを特徴とする請求項１〜６のいずれかに記載の指針。
【発明の詳細な説明】
【技術分野】
【０００１】
この発明は、時計に用いられて時刻を指示する指針に関する。
【背景技術】
【０００２】
従来、指針時計においては、特許文献１に記載されているように、指針軸に取り付けられて文字板の上方を運針する指針を備え、この指針の一部または全部に紫外線に反応して可視光線を発光する発光材を塗布し、この指針に紫外線発光素子で人間の目に見えない紫外線を照射することにより、指針の一部または全部を人間の目に見える可視光線で発光させるように構成したものがある。
【特許文献１】特開２００３−１６２２４２号
【発明の開示】
【発明が解決しようとする課題】
【０００３】
しかしながら、このような従来の指針時計に用いられている指針では、その一部または全部に紫外線に反応して可視光線を発光する発光材を塗布した構成であるから、紫外線発光素子によって紫外線が照射されると、指針に塗布された発光材が可視光線で発光するが、その発光状態が指針の一部または全部であるため、指針の発光時における装飾性に乏しく、十分な装飾効果が得られないという問題がある。
【０００４】
この発明が解決しようとする課題は、指針本体の発光時における装飾性が高い指針を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１１示すように、指針軸（９）に取り付けられて文字板（７）の上方を運針する指針本体（１３、２１、３１、４１）を、紫外線に反応して可視光線を発光する紫外線反応樹脂で形成し、この指針本体に紫外線発光素子（１１）によって紫外線が照射される指針であって、
前記指針本体の所定箇所に、前記指針本体内に入射した一部の紫外線および前記指針本体中で発光した一部の可視光線を反射する反射部（１３、１４、４６、４７）を設けたことを特徴とする指針である。
【０００７】
請求項２に記載の発明は、図２〜図１０に示すように、前記反射部（１３）が前記指針本体（１３、２１、３１）の外周面の下部に沿って形成された面取り部であることを特徴とする請求項１に記載の指針である。
【０００８】
請求項３に記載の発明は、図２〜図１１に示すように、前記反射部（１４、４６、４７）が前記指針本体（１３、２１、３１、４１）の裏面に設けられた溝部であることを特徴とする請求項１または２に記載の指針である。
【０００９】
請求項４に記載の発明は、図６〜図９に示すように、前記指針本体（２１）を形成する前記紫外線反応樹脂中に、外部光に反応して蛍光を発する蛍光材（２２）が混入されていることを特徴とする請求項１〜３のいずれかに記載の指針である。
【００１０】
請求項５に記載の発明は、図１０に示すように、前記指針本体（３１）の表面に印刷部（３２）が設けられていることを特徴とする請求項１〜４のいずれかに記載の指針である。
【００１１】
請求項６に記載の発明は、図１１に示すように、前記指針本体（４１）の表面に微細な凹凸部（４２）が設けられていることを特徴とする請求項１〜４のいずれかに記載の指針である。
【００１２】
請求項７に記載の発明は、図１１に示すように、前記指針本体（４１）の裏面に段差部（第１〜第３段差部４３〜４５）が設けられていることを特徴とする請求項１〜６のいずれかに記載の指針である。
【発明の効果】
【００１３】
請求項１に記載の発明によれば、紫外線に反応して可視光線で発光する紫外線反応樹脂で形成された指針本体の所定箇所に、その指針本体内に入射した一部の紫外線および指針本体中で発光した一部の可視光線を反射する反射部を設けたことにより、この指針本体に紫外線発光素子によって紫外線が照射されると、指針本体の全体が可視光線で発光すると共に、指針本体内に入射した一部の紫外線および指針本体中で発光した一部の可視光線が指針本体の所定箇所に設けられた反射部で反射されるので、指針本体の所定箇所とそれ以外の箇所とで輝度が異なることになり、これにより指針本体の発光領域に光の強弱を表現することができるので、指針本体の発光時における装飾性を高めることができる。
【００１４】
請求項２に記載の発明によれば、反射部が指針本体の外周面の下部に沿って形成された面取り部であることにより、指針本体に紫外線発光素子によって紫外線が照射されて、指針本体の全体が可視光線で発光すると、指針本体内に入射した一部の紫外線および指針本体中で発光した一部の可視光線が指針本体の外周面の下部に沿って形成された面取り部で反射されるので、指針本体の外周部をそれ以外の部分よりも明るく発光させることができ、これにより指針本体の輪郭を強調することができる。
【００１５】
請求項３に記載の発明によれば、反射部が指針本体の裏面に設けられた溝部であることにより、指針本体に紫外線発光素子によって紫外線が照射されて、指針本体の全体が可視光線で発光すると、指針本体内に入射した一部の紫外線および指針本体中で発光した一部の可視光線が指針本体の裏面に設けられた溝部の各内面で反射されるので、指針本体に設けられた溝部をそれ以外の部分よりも明るく発光させることができ、これにより指針本体の溝部に対応する箇所を強調することができる。
【００１６】
請求項４に記載の発明によれば、指針本体を形成する紫外線反応樹脂中に、外部光に反応して蛍光を発する蛍光材が混入されていることにより、指針本体に紫外線発光素子によって紫外線が照射されたときには、請求項１に記載の発明と同様、指針本体の所定箇所とそれ以外の箇所とで輝度が異なり、これにより指針本体の発光領域に光の強弱を表現することができるほか、指針本体に自然光などの外部光が照射されたときには、指針本体中の蛍光材が外部光に反応して蛍光を発するので、指針本体の全体が蛍光で発光すると共に、指針本体内に入射した一部の外部光および指針本体中で発光した一部の蛍光が指針本体の所定箇所に設けられた反射部で反射されるので、指針本体の所定箇所とそれ以外の箇所とで輝度が異なることになり、これにより自然光などの外部光によっても指針本体の発光領域に光の強弱を表現することができるので、より一層、指針本体の発光時における装飾性を高めることができる。
【００１７】
請求項５に記載の発明によれば、指針本体の表面に印刷部が設けられていることにより、指針本体に紫外線発光素子によって紫外線が照射されて、指針本体の全体が可視光線で発光するときに、請求項１に記載の発明と同様、指針本体の所定箇所とそれ以外の箇所とで輝度が異なり、これにより指針本体の発光領域に光の強弱を表現することができるほか、指針本体の全体が可視光線で発光するときに、指針本体の表面に設けられた印刷部によって発光した光が遮断されるので、この印刷部によって発光領域を自由に変えることができ、このため印刷部によって模様や図形、記号、マーなどを表現することができるので、より一層、指針本体の発光時における装飾性を高めることができる。
【００１８】
請求項６に記載の発明によれば、指針本体の表面に微細な凹凸部が設けられていることにより、指針本体に紫外線発光素子によって紫外線が照射されて、指針本体の全体が可視光線で発光するときに、請求項１に記載の発明と同様、指針本体の所定箇所とそれ以外の箇所とで輝度が異なり、これにより指針本体の発光領域に光の強弱を表現することができるほか、指針本体の全体が可視光線で発光するときに、指針本体の表面に設けられた微細な凹凸部によって指針本体の表面全体に細かな光の強弱を表現することができ、これによっても指針本体の発光時における装飾性を高めることができる。
【００１９】
請求項７に記載の発明によれば、指針本体の裏面に段差部が設けられていることにより、この段差部によって指針本体の厚みを変えることができ、これにより指針本体に紫外線発光素子によって紫外線が照射されて、指針本体の全体が可視光線で発光するときに、指針本体の厚みの厚い箇所が薄い箇所よりも輝度が高くなり、指針本体の発光領域に光の強弱を表現することができるので、これによっても指針本体の発光時における装飾性を高めることができる。
【発明を実施するための最良の形態】
【００２０】
（実施形態１）
以下、図１〜図５を参照して、この発明を腕時計に適用した実施形態１について説明する。図１はこの発明の腕時計の要部を示した拡大断面図である。
この腕時計は、図１に示すように、上下に開放された腕時計ケース１を備えている。この腕時計ケース１の上部中央には、時計ガラス２がパッキン２ａを介して取り付けられており、この腕時計ケース１の内部には、時計モジュール３が中枠４によって収納されている。また、この腕時計ケース２の下面には、裏蓋５が防水リング５ａを介して取り付けられている。
【００２１】
時計モジュール３は、図１に示すように、ハウジング６を備えている。このハウジング６の上面には文字板７が設けられており、この文字板７の外周部上には見切り部材８が設けられている。また、ハウジング６内には、アナログムーブメント（図示せず）が設けられている。このアナログムーブメントは、指針軸９を一定時間で回転させるものであり、その指針軸９が文字板７の貫通孔７ａを通して上方に突出し、この突出した指針軸９の上端部に時針１０ａ、分針１０ｂなどの指針１０が取り付けられ、この指針１０が文字板７の上方を運針して時刻を指示するように構成されている。
【００２２】
この場合、指針軸９は、図１に示すように、筒状の時針軸９ａと分針軸９ｂとを備え、筒状の時針軸９ａ内に分針軸９ｂが回転自在に挿入して時針軸９ａの上方に突出し、この突出した分針軸９ｂの上端部に分針１０ｂが取り付けられ、この分針１０ｂの下側に位置する時針軸１０ａの上端部に時針１０ａが取り付けられ、この状態で時針１０ａと分針１０ｂとからなる指針１０を文字板７の上方で運針させるように構成されている。なお、指針軸９は、図示しないが、時針軸９ａ、分針軸９ｂ以外に秒針軸を備えていても良く、これに伴って指針１０も、時針１０ａ、分針１０ｂ以外に秒針を備えていても良い。
【００２３】
また、見切り部材８には、人間の目に見えない紫外線（ブラックライト）を発光する紫外線発光素子１１が所定箇所、例えば１２時と６時との互いに対向する２箇所に、指針１０とほぼ同じ高さで指針１０の端面に対応するように設けられている。この紫外線発光素子１１は、波長が３６５ｎｍ（ナノメートル：ナノは１０億分の１メートル）付近または２５４〜３６５ｎｍの紫外線領域の光を発光する紫外線灯または紫外線発光ダイオード（ＬＥＤ）などの発光素子で構成され、時計モジュール３内の回路基板（図示せず）に電気的に接続されている。
【００２４】
そして、この時計モジュール３は、図１に示すように、文字板７が見切り部材８でハウジング６上に押えられた状態で中枠４内に組み込まれ、この状態で腕時計ケース１内に収納された上、その下面に緩衝部材１２が配置され、この緩衝部材１２が裏蓋５によって押えられることにより、この緩衝部材１２によって腕時計ケース１内に押え付けられた状態で収納されるように構成されている。
【００２５】
ところで、指針１０は、図２〜図５に示すように、その指針本体１３が紫外線に反応して可視光線を発光する紫外線反応樹脂によって形成されている。すなわち、この指針本体１３の紫外線反応樹脂は、波長が３５０〜４００ｎｍまたは２５４〜３６０ｎｍの紫外線に反応して有色の可視光線を発光するものであり、その発光色は、赤、青、緑（または黄色）の３色を基本として、その色数は１０〜１３種類ある。
【００２６】
また、この指針本体１３は、図２〜図５に示すように、その所定箇所に指針本体１３内に入射した一部の紫外線および指針本体１３中で発光した一部の可視光線を反射する反射部１４、１５が設けられている。すなわち、この反射部１４、１５のうち、反射部１４は指針本体１３の外周面の下部に沿って傾斜角がほぼ４５°で形成された面取り部であり、反射部１５は指針本体１３の裏面におけるほぼ中央部に設けられた断面がＶ字形状の溝部である。
【００２７】
このような腕時計の指針１０によれば、紫外線に反応して可視光線で発光する紫外線反応樹脂で形成された指針本体１３の所定箇所に、その指針本体１３内に入射した一部の紫外線および指針本体１３中で発光した一部の可視光線を反射する反射部１４、１５が設けられているので、この指針本体１３の端面に紫外線発光素子１１によって人間の目に見えない紫外線が照射されて入射すると、指針本体１３の全体が人間の目に見える可視光線で発光すると共に、指針本体１３内に入射した一部の紫外線および指針本体１３中で発光した一部の可視光線が指針本体１３の所定箇所に設けられた反射部１４、１５で反射されるので、指針本体１３の所定箇所とそれ以外の箇所とで輝度が異なることになり、これにより指針本体１３の発光領域に光の強弱を表現することができるので、指針本体１３の発光時における装飾性を高めることができる。
【００２８】
すなわち、反射部１４は指針本体１３の外周面の下部に沿って形成された面取り部であることにより、指針本体１３の端面に紫外線発光素子１１によって紫外線が照射されて入射し、指針本体１３の全体が可視光線で発光するときに、指針本体１３内に入射した一部の紫外線および指針本体１３中で発光した一部の可視光線が指針本体１３の外周面の下部に沿って形成された面取り部で様々な方向に反射されるので、指針本体１３の外周部をそれ以外の他の部分よりも明るく発光させることができ、これにより指針本体１３の輪郭を強調することができる。
【００２９】
また、反射部１５は指針本体１３の裏面に設けられた溝部であることにより、指針本体１３の端面に紫外線発光素子１１によって紫外線が照射されて入射し、指針本体１３の全体が可視光線で発光するときに、指針本体１３内に入射した一部の紫外線および指針本体１３中で発光した一部の可視光線が指針本体１３の裏面に設けられた溝部の各内面で様々な方向に反射されるので、指針本体１３に設けられた溝部をそれ以外の他の部分よりも明るく発光させることができ、これにより指針本体１３の溝部に対応する箇所を強調することができる。
【００３０】
（実施形態２）
次に、図６〜図９を参照して、この発明を腕時計に適用した実施形態２について説明する。なお、図１〜図５に示された実施形態１と同一部分には同一符号を付して説明する。
この腕時計は、指針２０が実施形態１と異なる構成で、これ以外は実施形態１と同じ構成になっている。すなわち、この指針２０は、指針本体２１を形成する紫外線反応樹脂中に、自然光などの外部光に反応して蛍光を発する蛍光材２２を分散させて混入した構成になっている。
【００３１】
このような指針２０によれば、指針本体２１の紫外線反応樹脂中に蛍光材２２を分散させて混入したので、実施形態１と同様、指針本体２１の端面に紫外線発光素子１１によって紫外線が照射されて入射したときには、図６および図７に示すように、指針本体２１の所定箇所、つまり反射部１４、１５とそれ以外の箇所とで輝度が異なり、これにより指針本体２１の発光領域に光の強弱を表現できるほか、指針本体２１に自然光などの外部光が時計ガラス２を通して照射されたときにも、図８および図９に示すように、指針本体２１の反射部１４、１５によって指針本体２１の発光領域に光の強弱を表現することができる。
【００３２】
すなわち、指針本体２１にその上方から自然光などの外部光が照射されたときには、図８および図９に示すように、指針本体２１中の蛍光材２２が外部光に反応して蛍光を発するので、指針本体２１の全体が蛍光を発すると共に、指針本体２１内に入射した一部の外部光および指針本体２１中で発光した一部の蛍光が指針本体２１の所定箇所に設けられた反射部１４、１５によって反射されるので、指針本体２１の所定箇所とそれ以外の箇所とで輝度が異なることになり、これにより自然光などの外部光によっても指針本体２１の発光領域に光の強弱を表現することができ、このため、より一層、指針本体２１の発光時における装飾性を高めることができる。
【００３３】
（実施形態３）
次に、図１０を参照して、この発明を腕時計に適用した実施形態３について説明する。この場合にも、図１〜図５に示された実施形態１と同一部分に同一符号を付して説明する。
この腕時計は、指針３０が実施形態１と異なる構成で、これ以外は実施形態１と同じ構成になっている。すなわち、この指針３０は、指針本体３１を円形部３１ａと矢印部３１ｂとで形成し、この指針本体３１の円形部３１ａの表面に印刷部３２を設けた構成になっている。この印刷部３２は、２つのリング部３２ａ、３２ｂを同心円状に描いた模様である。なお、この場合にも、指針本体３１の外周面の下部に沿って反射部１４が設けられていると共に、矢印部３１ｂの裏面における中央部にも反射部１５が設けられている。
【００３４】
このような指針３０によれば、実施形態１と同様、指針本体３１の端面に紫外線発光素子１１によって紫外線が照射されて入射したときに、指針本体３１の全体が可視光線で発光すると共に、指針本体１３の所定箇所とそれ以外の箇所とで輝度が異なり、これにより指針本体３１の発光領域に光の強弱を表現することができるほか、特に指針本体３１の円形部３１ａの表面に印刷部３２が設けられているので、指針本体３１の全体が可視光線で発光するときに、指針本体３１の円形部３１ａの表面に設けられた印刷部３２によって発光した光を遮断することができ、これにより指針本体３１の発光領域を自由に変えることができると共に、印刷部３２によって２つのリング部３２ａ、３２ｂが同心円状に描かれた模様を表現することができ、これによっても指針本体３１の発光時における装飾性を高めることができる。
【００３５】
なお、上記実施形態３では、指針本体３１の表面に、２つのリング部３２ａ、３２ｂを同心円状に描いた印刷部３２を設けた場合について述べたが、これに限らず、例えば、印刷部によって図形、記号、マーなどを表現しても良い。このように構成すれば、指針本体３１の全体が可視光線で発光するときに、指針本体３１の表面に設けられた印刷部によって図形、記号、マーなどを表現することができるので、実施形態３と同様、指針本体３１の発光時における装飾性を高めることができる。
【００３６】
（実施形態４）
次に、図１１を参照して、この発明を腕時計に適用した実施形態４について説明する。この場合にも、図１〜図５に示された実施形態１と同一部分に同一符号を付して説明する。
この腕時計は、指針４０が実施形態１と異なる構成で、これ以外は実施形態１と同じ構成になっている。すなわち、この指針４０は、指針本体４１の表面に微細な凹凸部４２を設け、且つ指針本体４１の裏面に複数の段差部４３〜４５を設けると共に、各段差部４３〜４５の境界部分に、指針本体４１内に入射した一部の紫外線および指針本体４１中で発光した一部の可視光線を反射する反射部４６、４７を設けた構成になっている。
【００３７】
この場合、指針本体４１の表面に設けられた微細な凹凸部４２は、目付け加工による表面仕上げ処理によって模様をなすように形成されている。また、指針本体４１の裏面に設けられた複数の段差部４３〜４５のうち、第１段差部４３は指針本体４１の一側部に厚みが最も厚く形成され、第２段差部４４は第１段差部４３の隣に厚みが一段薄く形成され、第３段差部４５は第２段差部４４の隣に更に厚みが一段薄く形成されている。また、各反射部４６、４７のうち、反射部４６は、第１、第２段差部４３、４４の境界部分に設けられた溝部であり、反射部４７は、第２、第３段差部４４、４５の境界部分に設けられた溝部である。
【００３８】
このような指針４０によれば、実施形態１と同様、指針本体４１の端面に紫外線発光素子１１によって紫外線が照射されて入射したときに、指針本体４１の全体が可視光線で発光すると共に、指針本体４１内に入射した一部の紫外線および指針本体４１中で発光した一部の可視光線が指針本体４１の所定箇所に設けられた反射部４６、４７で反射されるので、指針本体１３の反射部４６、４７の箇所とそれ以外の箇所とで輝度が異なり、これにより指針本体４１の発光領域に光の強弱を表現することができるほか、指針本体４１の裏面に設けられた複数の段差部４３〜４５によっても、指針本体４１の発光領域に光の強弱を表現することができる。
【００３９】
すなわち、指針本体４１の裏面に設けられた複数の段差部４３〜４５のうち、厚みが最も厚い第１段差部４３では輝度が最も高く、この第１段差部４３よりも一段厚みの薄い第２段差部４４では次に輝度が高く、この第２段差部４４よりも更に一段厚みの薄い第３段差部４５では最も輝度が低くなり、これにより指針本体４１の発光領域が第１〜第３段差部４３〜４５に応じて３段階に明るさが異なるので、各段差部４３〜４５の厚みによっても、指針本体４１の発光領域に光の強弱を表現することができる。
【００４０】
また、この指針４０では、指針本体４１の表面に微細な凹凸部４２が設けられているので、指針本体４１の端面に紫外線発光素子１１によって紫外線が照射されて入射し、指針本体４１の全体が可視光線で発光するときに、指針本体４１の表面に設けられた微細な凹凸部４２によって指針本体４１の表面全体に目付け加工の細かな模様を光の強弱で表現することができ、これによっても指針本体４１の発光時における装飾性を高めることができる。
【００４１】
なお、上記実施形態３および４においても、実施形態２と同様、指針本体３１、４１の各紫外線反応樹脂中に蛍光材２２を分散させて混入した構成でも良い。このように構成すれば、実施形態３、４と同様の作用効果があるほか、特に実施形態２と同様、自然光などの外部光によっても指針本体３１、４１の発光領域に光の強弱を表現することができ、このため、より一層、指針本体３１、４１の発光時における装飾性を高めることができる。
【図面の簡単な説明】
【００４２】
【図１】この発明を適用した腕時計の要部を示した拡大断面図である。（実施形態１）
【図２】図１の指針を示した拡大正面図である。
【図３】図２のＡ−Ａ矢視における断面図である。
【図４】図２のＢ−Ｂ矢視における断面図である。
【図５】図２の指針の裏面図である。
【図６】この発明を適用した指針に紫外線を照射したときの発光状態を示した正面図である。（実施形態２）
【図７】図６のＣ−Ｃ矢視における拡大断面図である。
【図８】図６の指針に自然光などの外部光を照射したときの発光状態を示した正面図である。
【図９】図８のＤ−Ｄ矢視における拡大断面図である。
【図１０】この発明を適用した指針に紫外線を照射したときの発光状態を示した正面図である。（実施形態３）
【図１１】この発明を適用した指針の要部を破断して示した拡大斜視図である。（実施形態４）
【符号の説明】
【００４３】
１  腕時計ケース
３  時計モジュール
７  文字板
９  指針軸
１０、２０、３０、４０  指針
１１  紫外線発光素子
１３、２１、３１、４１  指針本体
１４、１５、４６、４７  反射部
２２  蛍光材
３２  印刷部
４２  微細な凹凸部
４３〜４５  第１〜第３段差部
【図１】
2007170889.tif 000003
【図２】
2007170889.tif 000004
【図３】
2007170889.tif 000005
【図４】
2007170889.tif 000006
【図５】
2007170889.tif 000007
【図６】
2007170889.tif 000008
【図７】
2007170889.tif 000009
【図８】
2007170889.tif 000010
【図９】
2007170889.tif 000011
【図１０】
2007170889.tif 000012
【図１１】
2007170889.tif 000013